【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
ディスプレイリンクビデオ圧縮における複数のコーディングモードを介してビデオデータをコーディングするための方法であって、
前記ビデオデータのスライスをコーディングするステップを含み、前記スライスが、前記スライスの第1のラインおよび前記スライスの複数の非第1のライン中に複数のピクセルを含み、前記スライスの前記コーディングが、
前記スライスの前記第1のラインの現在ピクセルを、空間予測モードで予測子として前記第1のラインの先行ピクセルを使用してコーディングするステップと、
前記スライスの非第1のラインの別のピクセルを、前記空間予測モード以外のコーディングモードでコーディングするステップと
を含み、
前記ビデオデータの前記スライスは、複数のブロックにさらに編成され、各ブロックは、ピクセルの少なくとも2つの行を含む2次元(2D)ブロックであり、前記スライスの各行は、複数のブロックを含み、前記現在ピクセルおよび前記先行ピクセルは、同じ行にあり、
前記ビデオデータの前記スライスを前記コーディングするステップは、対応する第1および第2のインターリーブされたコーディング経路を介して、前記第1のラインの各行をコーディングするステップであって、前記第1および第2のインターリーブされたコーディング経路における前記ピクセルの各々が、対応する前記インターリーブされたコーディング経路の外のピクセルから独立してコーディングされる、ステップをさらに含む、方法。
【請求項２】
前記第1のラインの前記現在ピクセルおよび前記第1のラインの前記先行ピクセルは、介在するピクセルによって分離され、
前記ビデオデータの前記スライスを前記コーディングするステップは、第1および第2のインターリーブされたコーディング経路を介して、前記第1のラインをコーディングするステップであって、前記第1および第2のインターリーブされたコーディング経路における前記ピクセルの各々が、対応する前記インターリーブされたコーディング経路の外のピクセルから独立してコーディングされる、ステップをさらに含む、請求項1に記載の方法。
【請求項３】
予測なしに前記スライスの前記第1のラインの第1のピクセルをコーディングするステップをさらに含む、請求項1に記載の方法。
【請求項４】
予測なしに前記スライスの前記第1のラインの第2のピクセルをコーディングするステップであって、前記第1のラインの前記現在ピクセルおよび前記第1のラインの前記先行ピクセルは、介在するピクセルによって分離される、ステップをさらに含み、前記ビデオデータの前記スライスを前記コーディングするステップは、第1および第2のインターリーブされたコーディング経路を介して、前記第1のラインをコーディングするステップであって、前記第1のインターリーブされたコーディング経路が、前記第1のピクセルで始まり、前記第2のインターリーブされたコーディング経路が、前記第2のピクセルで始まり、前記第1および第2のインターリーブされたコーディング経路における前記ピクセルの各々が、対応する前記インターリーブされたコーディング経路の外のピクセルから独立してコーディングされる、ステップをさらに含む、請求項3に記載の方法。
【請求項５】
前記スライスの前記第1のラインの第2のピクセルを、前記空間予測モードで予測子として前記第1のラインの前記第1のピクセルを使用してコーディングするステップであって、前記第1のラインの前記現在ピクセルおよび前記第1のラインの前記先行ピクセルは、介在するピクセルによって分離される、ステップをさらに含み、前記ビデオデータの前記スライスを前記コーディングするステップは、第1および第2のインターリーブされたコーディング経路を介して、前記第1のラインをコーディングするステップであって、前記第1のインターリーブされたコーディング経路が、前記第1のピクセルで始まり、前記第2のインターリーブされたコーディング経路が、前記第2のピクセルで始まり、前記第1および第2のインターリーブされたコーディング経路における前記ピクセルの各々が、対応する前記インターリーブされたコーディング経路の外のピクセルから独立してコーディングされる、ステップをさらに含む、請求項3に記載の方法。
【請求項６】
前記ビデオデータを前記コーディングするステップに対するレート制約があるかどうかを判断するステップと、
前記レート制約が存在するとの前記判断に応答して、前記第1のピクセルのビット深度を切り捨てるステップと
をさらに含む、請求項3に記載の方法。
【請求項７】
前記第1のラインの第1のピクセルを、前記空間予測モードでデフォルト予測子を使用してコーディングするステップをさらに含み、前記デフォルト予測子は、前記ビデオデータのビット深度に依存する、請求項1に記載の方法。
【請求項８】
現在ラインの現在ピクセルを、中央値適応予測(MAP)モードで予測子として前記現在ラインの先行ピクセルと先行ラインの第1および第2のピクセルとを使用してコーディングするステップをさらに含み、前記現在ラインの前記現在ピクセルおよび前記現在ラインの前記先行ピクセルが、第1の介在するピクセルによって分離され、前記先行ラインの前記第1および第2のピクセルが、第2の介在するピクセルによって分離され、前記ビデオデータの前記スライスを前記コーディングするステップは、第1および第2のインターリーブされたコーディング経路を介して、前記現在ラインをコーディングするステップであって、前記第1および第2のインターリーブされたコーディング経路における前記ピクセルの各々が、対応する前記インターリーブされたコーディング経路の外のピクセルから独立してコーディングされる、ステップをさらに含む、請求項1に記載の方法。
【請求項９】
装置であって、
ビデオデータのスライスをコーディングするための手段であって、前記スライスが、前記スライスの第1のラインおよび前記スライスの複数の非第1のライン中に複数のピクセルを含む、手段と、
前記スライスの前記第1のラインの現在ピクセルを、空間予測モードで予測子として前記第1のラインの先行ピクセルを使用してコーディングするための手段と、
前記スライスの非第1のラインの別のピクセルを、前記空間予測モード以外のコーディングモードでコーディングするための手段と
を含み、
前記ビデオデータの前記スライスは、複数のブロックにさらに編成され、各ブロックは、ピクセルの少なくとも2つの行を含む2次元(2D)ブロックであり、前記スライスの各行は、複数のブロックを含み、前記現在ピクセルおよび前記先行ピクセルは、同じ行にあり、
前記装置は、対応する第1および第2のインターリーブされたコーディング経路を介して、前記第1のラインの各行をコーディングするための手段であって、前記第1および第2のインターリーブされたコーディング経路における前記ピクセルの各々が、対応する前記インターリーブされたコーディング経路の外のピクセルから独立してコーディングされる、手段をさらに含む、装置。
【請求項１０】
前記第1のラインの前記現在ピクセルおよび前記第1のラインの前記先行ピクセルは、介在するピクセルによって分離され、
前記装置は、第1および第2のインターリーブされたコーディング経路を介して、前記第1のラインをコーディングするための手段であって、前記第1および第2のインターリーブされたコーディング経路における前記ピクセルの各々が、対応する前記インターリーブされたコーディング経路の外のピクセルから独立してコーディングされる、手段をさらに含む、請求項9に記載の装置。
【請求項１１】
予測なしに前記スライスの前記第1のラインの第1のピクセルをコーディングするための手段をさらに含む、請求項9に記載の装置。
【請求項１２】
予測なしに前記スライスの前記第1のラインの第2のピクセルをコーディングするための手段であって、前記第1のラインの前記現在ピクセルおよび前記第1のラインの前記先行ピクセルは、介在するピクセルによって分離される、手段と、
第1および第2のインターリーブされたコーディング経路を介して、前記第1のラインをコーディングするための手段であって、前記第1のインターリーブされたコーディング経路が、前記第1のピクセルで始まり、前記第2のインターリーブされたコーディング経路が、前記第2のピクセルで始まり、前記第1および第2のインターリーブされたコーディング経路における前記ピクセルの各々が、対応する前記インターリーブされたコーディング経路の外のピクセルから独立してコーディングされる、手段と
をさらに含む、請求項11に記載の装置。
【請求項１３】
前記スライスの前記第1のラインの第2のピクセルを、前記空間予測モードで予測子として前記第1のラインの前記第1のピクセルを使用してコーディングするための手段であって、前記第1のラインの前記現在ピクセルおよび前記第1のラインの前記先行ピクセルは、介在するピクセルによって分離される、手段と、
第1および第2のインターリーブされたコーディング経路を介して、前記第1のラインをコーディングするための手段であって、前記第1のインターリーブされたコーディング経路が、前記第1のピクセルで始まり、前記第2のインターリーブされたコーディング経路が、前記第2のピクセルで始まり、前記第1および第2のインターリーブされたコーディング経路における前記ピクセルの各々が、対応する前記インターリーブされたコーディング経路の外のピクセルから独立してコーディングされる、手段と
をさらに含む、請求項11に記載の装置。
【請求項１４】
前記ビデオデータの前記コーディングに対するレート制約があるかどうかを判断するための手段と、
前記レート制約が存在するとの前記判断に応答して、前記第1のピクセルのビット深度を切り捨てるための手段と
をさらに含む、請求項11に記載の装置。
【請求項１５】
実行されると、コンピュータに、請求項1から8のいずれか一項に記載の方法を行わせるコードを含む、コンピュータプログラム。